(57)【要約】      （修正有）【課題】良好な操作性を確保しつつ、多様な大きさ、幅、厚み、形状のカードを処理する。【解決手段】情報読み取り装置は３種の幅の平板状情報担体を挿入するためのガイドバス４００、４０２、４０４を有し、ガイドパスは異なる幅の平板状情報担体に対応している。ガイドパス４０４は、上方に開放された断面長方形の略水平溝状に形成され、その開放端部は、平板状情報担体を挿入する挿入口４１０となっている。ガイドパス４００、４０２、４０４はその底面４００ＢＦ、４０２ＢＦ、４０４ＢＦによって平板状情報担体を略水平に支持し、両側面４００ＳＦ、４０２ＳＦ、４０４ＳＦによって平板状情報担体の左右のずれを防止する。【選択図】図３
2010072795.tif 000002
【特許請求の範囲】
【請求項１】
情報が記録された平板状情報担体が挿入されたときに、前記情報を読み取る情報読み取り装置であって、
前記情報を読み取る読み取り手段と、
前記挿入された平板状情報担体が、前記読み取り手段に対して所定位置に到達したときに、前記平板状情報担体の先端に当接して、前記平板状情報担体を停止させる停止手段と、
前記平板状情報担体を、前記所定位置に向かってガイドするガイド手段と、
を備え、
前記ガイド手段は、前記平板状情報担体の異なる平板状情報担体幅に対応して複数設けられ、
前記各ガイド手段には、前記平板状情報担体を挿入する挿入口が設けられ、
前記ガイド手段は、前記挿入口が、前記平板状情報担体の厚さ方向に並列するように配列された、
情報読み取り装置。
【請求項２】
前記情報は前記平板状情報担体に印刷され、前記読み取り手段は、光学的に前記情報を読み取るように、前記所定位置に向かって光軸が設定され、
前記各ガイド手段は、前記所定位置における前記平板状情報担体と前記光軸との距離が所定範囲内になるように、前記平板状情報担体をガイドする、
請求項１記載の情報読み取り装置。
【請求項３】
前記情報は前記平板状情報担体に印刷され、前記読み取り手段は、光学的に前記情報を読み取るように、前記所定位置に向かって光軸が設定され、
前記各ガイド手段は、前記所定位置における前記平板状情報担体と前記光軸との角度が所定範囲内になるように、前記平板状情報担体をガイドする、
請求項１又は２記載の情報読み取り装置。
【請求項４】
前記各ガイド手段は、前記所定位置に向かって直線的に前記平板状情報担体をガイドするように、略直線状に形成された、請求項１乃至３のいずれかに記載の情報読み取り装置。
【請求項５】
前記所定位置に前記平板状情報担体が到達したときに、前記平板状情報担体を検出する対物センサと、
前記対物センサによって、前記ガイド手段に対応した前記平板状情報担体が検出されたときに、前記各ガイド手段に対応した振動モードで振動する振動発生手段と、
をさらに備えた請求項１乃至４のいずれかに記載の情報読み取り装置。
【請求項６】
前記ガイド手段の挿入口は、上下方向に並列するように配列された請求項１乃至５のいずれかに記載の情報読み取り装置。
【請求項７】
前記ガイド手段の挿入口が、水平方向に並列するように配列された請求項１乃至５のいずれかに記載の情報読み取り装置。
【請求項８】
前記平板状情報担体の情報を書き換える書き換え手段をさらに備えた、請求項１記載の情報読み取り装置。
【発明の詳細な説明】
【技術分野】
【０００１】
本発明は、バーコードカード、磁気カード、ＩＣカード等の情報読み取り装置、あるいは情報読み取り／書き換え装置に係り、特に、手差しにてカード等平板状情報担体を挿入する情報読み取り装置、あるいは情報読み取り／書き換え装置に関する。
【０００２】
例えば、ゲーム装置において、ユーザが保有するカード等の平板状情報担体をカードリーダによって読み込み、ユーザの特定、ゲームにおけるアイテム等の設定を行うものがある。カードリーダには、リーダ側を操作する可動タイプと、カード側を操作する固定タイプの２種があるが、ゲーム装置では、複数のカードを用いることが多いため、カードリーダ装置を固定とし、複数のカードを操作することでゲームが進行する固定タイプが使用されることが多い。
【０００３】
固定タイプのカードリーダは、通常、所定の１種の幅を持つカードを想定しており、例えば、本願出願人の出願に係る特許文献１のように、一般的な名刺やクレジットカードのような異なる長さの辺を持つ長方形のカードを用いるものが多く、また、それ以外にも例えば三辺が同じ長さの三角形型のカードを用いて一枚の媒体に複数種類（例えば三種類）のカード情報を持たせるようなものもあった。
【０００４】
しかし、上記のような例の場合でも、特殊な例であってもやはりカード上のバーコードの幅、及びコードの種類は同様のものであり、カードの形状の多様化は行えてもゲームに変化を与えることは困難であった。しかし、ユーザの興味を引くゲームを提供するためには、カードの多様化を含めあらゆる可能性を追求する必要がある。
【０００５】
また、非特許文献１のゲーム装置では、幅が大きいバーコードカードを挿入し得る読み取り口において、幅が小さいバーコードカードをも挿入、読み取り可能とし、２種類のバーコードカードを読み取る。しかし、小幅のバーコードカードに対して、読み取り口が大きなクリアランスを有するため、遊戯者がどのように入力操作を行えばよいかが判りづらく、結果として操作性が良好とは言い難いものであった。
【０００６】
また、仮に、多種のカードに対応すべくカードリーダあるいはカードリーダ／ライタを多数設けた場合、ゲーム装置の操作部の構成が複雑化し、操作が煩雑になって誤操作の原因となるとともに、製造原価が増大する。
【特許文献１】特願２００７−１０５３２７
【非特許文献１】http://www.daikaijyu.com/portal/event/index.html
【発明の開示】
【発明が解決しようとする課題】
【０００７】
すなわち従来は、１台の情報読み取り装置、あるいは情報読み取り／書き換え装置で、良好な操作性を確保しつつ、多様な形状のカードを処理することはできなかった。
【０００８】
本発明は、このような従来の問題点を解消すべく創案されたもので、良好な操作性を確保しつつ、多様な形状の平板状情報担体を処理することを目的とする。
【課題を解決するための手段】
【０００９】
本発明は、情報が記録された平板状情報担体が挿入されたときに、前記情報を読み取る情報読み取り装置であって、前記情報を読み取る読み取り手段と、前記挿入された平板状情報担体が、前記読み取り手段に対して所定位置に到達したときに、前記平板状情報担体の先端に当接して、前記平板状情報担体を停止させる停止手段と、前記平板状情報担体を、前記所定位置に向かってガイドするガイド手段とを備え、前記ガイド手段は、前記平板状情報担体の異なる平板状情報担体幅に対応して複数設けられ、前記各ガイド手段には、前記平板状情報担体を挿入する挿入口が設けられ、前記ガイド手段は、前記挿入口が、前記平板状情報担体の厚さ方向に並列するように配列される。
これによって、良好な操作性を確保しつつ、多様な大きさ、幅、厚み、形状のカードを処理し得る。
【００１０】
また、本発明に係る情報読み取り装置において、例えば、前記情報は前記平板状情報担体に印刷され、前記読み取り手段は、光学的に前記情報を読み取るように、前記所定位置に向かって光軸が設定され、前記各ガイド手段は、光軸によって読み取りが行われる位置における読み取り手段との距離が所定の距離の範囲内になるように前記平板状情報担体をガイドする。
また、前記各ガイド手段は、カードの種類毎に異なるガイド部で前記所定位置における前記平板状情報担体と前記光軸との角度がカードの種類毎に異なる角度で、かつ所定範囲内になるように、前記平板状情報担体をガイドする。
これによって、光学的な情報読み取り装置において、確実に情報を読み取ることができる。
【００１１】
本発明に係る情報読み取り装置において、前記各ガイド手段は、例えば、前記所定位置に向かって直線的に前記平板状情報担体をガイドするように、略直線状に形成される。
これによって、平板状情報担体の円滑な挿入が保証される。
【００１２】
本発明に係る情報読み取り装置は、前記所定位置に前記平板状情報担体が到達したときに、前記平板状情報担体を検出する対物センサと、前記対物センサによって、前記ガイド手段に対応した前記平板状情報担体が検出されたときに、前記各ガイド手段に対応した振動モードで振動する振動発生手段とをさらに備えてもよい。
これによって、ユーザは挿入した平板状情報担体が分別して読み取られたことを確認でき、一層操作性が向上する。
【００１３】
本発明に係る情報読み取り装置において、前記ガイド手段の挿入口は、上下方向あるいは水平方向に並列するように配列される。
これによって、各平板状情報担体に対応するガイド手段の選択が容易となり、誤挿入を防止し得る。
【００１４】
本発明に係る情報読み取り装置は、前記平板状情報担体の情報を書き換える書き換え手段をさらに備えてもよい。
【発明の効果】
【００１５】
本発明によれば、良好な操作性を確保しつつ、多様な大きさ、幅、形状のカードを処理し得る。
【発明を実施するための最良の形態】
【００１６】
次に本発明に係る情報読み取り装置の実施例１を適用したゲーム装置を、図面に基づいて説明する。
【実施例１】
【００１７】
［ゲーム装置への適用例］
図１は、本発明に係る情報読み取り装置の実施例１を適用したゲーム装置を示す正面図、図２は、図１のゲーム装置を示すブロック図である。
【００１８】
図１において、ゲーム装置１００は液晶モニター等の表示手段１１２、および操作入力手段としてのジョイスティック１０５Ａ、コインスイッチ１０５Ｂ、ボタン１０５Ｃ、ボタン１０５Ｄを備え、ゲーム実行時にはジョイステックによってプレーヤキャラクタ等を操作し、ゲーム画面を表示手段１１２に表示する。図２では、入力操作手段１０５Ａ〜１０５Ｄを一括して符号１０５で示している。
【００１９】
ゲーム装置１００には第１、第２のカード（平板状情報担体）のためのカードディスペンサ１２０Ａ、カードディスペンサ１２０Ｂが設けられ、遊戯者がコインスイッチ１０５Ｂにコインを挿入したときにはこれらのカードが、ユーザに供給される。図２ではカードディスペンサ１２０Ａ、１２０Ｂを一括して符号１２０で示している。
【００２０】
ゲーム装置１００には、カードディスペンサ１２０Ａ、１２０Ｂから供給される第１、第２カードおよび第３の平板状情報担体を読み取るための受発光部３００（情報読み取り手段）が設けられている。
【００２１】
図２において、ゲーム装置１００は、全体を制御するＣＰＵ１０１と、ゲーム装置１００を起動させるためのプログラムを格納するブートＲＯＭ１０４と、ＣＰＵ１０１によって実行される画像生成プログラム、その他のプログラムやデータを格納するシステムメモリ１０２とを有する。またゲーム装置１００にはバックアップメモリ１１８が設けられ、ゲーム経過の保存等に使用される。
【００２２】
ゲーム装置１００には、ＣＰＵ１０１と協働して画像生成手段１１７として機能するレンダリングプロセッサ１０７が設けられ、表示手段１１２にゲーム画像を表示する。レンダリングプロセッサ１０７は、グラフィックメモリ１０８に格納された画像データに基づいて画像を生成し、またグラフィックメモリ１０８に画像データを格納する。
【００２３】
ゲーム装置１００には、音声を生成するサウンドプロセッサ１０９と、生成される音声のデータを記憶するサウンドメモリ１１０とが設けられ、サウンドプロセッサ１０９はサウンドメモリ１１０に記憶されたデータに基づいて音声のデジタル信号を生成し、スピーカ１１３やヘッドフォン（図示省略）によって音声を出力する。
【００２４】
ゲーム装置１００には、プログラムデータ等のための記憶媒体１０３、通信インターフェース１１１およびモデム１１４が設けられる。
【００２５】
ゲーム装置１００には、カードリーダ１１６に挿入された平板状情報担体を判別する対物センサ２００、２０２、２０４と、対物センサ２００、２０２、２０４による判別結果を示す振動生成装置１１５が設けられている。
【００２６】
ゲーム装置１００における以上の構成要素は、バスに接続され、バスアービタ１０６によってプログラムやデータの各構成要素間の入出力が制御される。
【００２７】
次に、情報読み取り装置（カードリーダ）１１６、対物センサ２００、２０２、２０４、振動生成装置１１５について詳述する。
【００２８】
［情報読み取り装置（カードリーダ）］
図３は、図１の情報読み取り装置を示す斜視図、図４は、図３の情報読み取り装置の平面図、図５は、図３の情報読み取り装置の右側面図、図６は、図３の情報読み取り装置によって平板状情報担体を読み取る状態を示す縦断面図、図７は、図３の情報読み取り装置によって他の平板状情報担体を読み取る状態を示す縦断面図、図８は、図３の情報読み取り装置によってさらに他の平板状情報担体を読み取る状態を示す縦断面図である。
【００２９】
特に図３、図４、図６〜図８に示すように、情報読み取り装置１１６は３種の幅の平板状情報担体ＰＣ１、ＰＣ２、ＰＣ３を挿入するためのガイドパス（ガイド手段）４００、４０２、４０４を有し、ガイドパス４００、４０２、４０４は幅Ｗ１、Ｗ２、Ｗ３（Ｗ１＜Ｗ２＜Ｗ３）の平板状情報担体ＰＣ１、ＰＣ２、ＰＣ３に対応している。この例では、ＰＣ１は最も読み取り幅の狭い記録情報担体（例えばバーコードの印刷されたカードなど）、逆にＰＣ３は最も読み取り幅の広い記録情報担体での例にて説明を行う。
【００３０】
ガイドパス４０４は、上方に開放された断面長方形の略水平溝状に形成され、その開放端部は、平板状情報担体ＰＣ１を挿入する挿入口４１０となっている。
【００３１】
ガイドパス４０４はその底面４０４ＢＦによって平板状情報担体ＰＣ１を略水平に支持し、両側面４０４ＳＦによって平板状情報担体ＰＣ１の左右のずれを防止する。底面４０４ＢＦは平板状情報担体ＰＣ１の挿入方向（情報読み取り装置１１６内部に向かう方向）に、下り勾配の平面である。これによって、ユーザは平板状情報担体ＰＣ１を、確実に所定方向に、円滑に挿入し得る。
【００３２】
ガイドパス４０２は、ガイドパス４０４の両側面上端から左右側方に形成され、上方および内側に開放された、Ｌ字状溝４０２Ａ、４０２Ｂによって構成され、その開放端部は、平板状情報担体ＰＣ２を挿入する挿入口４２０となっている。
【００３３】
ガイドパス４０２は、Ｌ字状溝４０２Ａ、４０２Ｂの底面４０２ＢＦによって平板状情報担体ＰＣ２を略水平に支持し、両側面４０２ＳＦによって平板状情報担体ＰＣ２の左右のずれを防止する。底面４０２ＢＦは平板状情報担体ＰＣ２の挿入方向（情報読み取り装置１１６内部に向かう方向）に、下り勾配の平面である。これによって、ユーザは平板状情報担体ＰＣ２を、確実に所定方向に、円滑に挿入し得る。
【００３４】
ガイドパス４００はＬ字状溝４０２Ａ、４０２Ｂの側面上端から側方に形成され、上方および内側に開放された、Ｌ字状溝４００Ａ、４００４Ｂによって構成され、その開放端部は、平板状情報担体ＰＣ３を挿入する挿入口４３０となっている。
【００３５】
ガイドパス４００は、Ｌ字状溝４００Ａ、４００４Ｂの底面４００ＢＦによって平板状情報担体ＰＣ２を略水平に支持し、両側面４００ＳＦによって平板状情報担体ＰＣ２の左右のずれを防止する。底面４００ＢＦは平板状情報担体ＰＣ３の挿入方向（情報読み取り装置１１６内部に向かう方向）に、下り勾配の平面である。これによって、ユーザは平板状情報担体ＰＣ３を、確実に所定方向に、円滑に挿入し得る。
【００３６】
特に図５〜図８に示すように、情報読み取り装置１１６の内部には、ガイドパス４００、４０２、４０４によってガイドされつつ挿入された平板状情報担体ＰＣ１、ＰＣ２、ＰＣ３の先端が突き当たり、停止される停止壁（停止手段）３０４が設けられている。停止壁３０４は平板状情報担体ＰＣ１、ＰＣ２、ＰＣ３を所定位置ＰＰで停止させる。
【００３７】
平板状情報担体ＰＣ１、ＰＣ２、ＰＣ３は、バーコードカード、磁気記録カード、ＩＣカード等のカード（図６、図８の平板状情報担体ＰＣ１、ＰＣ３等）、あるいは種々の態様で情報が記録されたブック（図７の平板状情報担体ＰＣ２等）であり、情報読み取り装置１１６には、これら平板状情報担体の情報を読み取るための読み取り部３００を備える。この例では、ＰＣ２が厚みを持った媒体である絵本状のものとなっているが、それぞれの担体の厚み幅はそれぞれクリアランスに収まる厚み・形状のものであれば特に限定はされない。例えば、幅はＷ２だが異なる厚みを持つ複数の担体ＰＣ２を用いても良い。
【００３８】
所定位置ＰＰは、読み取り部３００による情報読み取りが確実に実行される位置であり、停止壁３０４の存在によって、確実な情報読み取りが保証される。
【００３９】
例えば、本実施例に示すように、平板状情報担体ＰＣ１、ＰＣ２、ＰＣ３における情報はバーコードに記録され、読み取り部３００はバーコードを光学的に読み取る受発光部である。平板状情報担体ＰＣ１、ＰＣ２、ＰＣ３が停止される所定位置ＰＰは、受発光部３００の光軸ＯＡを基準に設定される。
【００４０】
受発光部３００による光学的読み取りのために、平板状情報担体ＰＣ１、ＰＣ２、ＰＣ３のバーコード印刷位置には読み取り窓３０２（図３）が穿設されている。
【００４１】
ガイドパス４００、４０２、４０４における底面４００ＢＦ、４０２ＢＦ、４０４ＢＦの下り勾配Ａ１、Ａ２、Ａ３は、光軸ＯＡと、平板状情報担体ＰＣ３、ＰＣ２、ＰＣ１との交差角度が、直交状態から所定範囲の角度となるように設定され、良好な読み取り状態が保証される。
【００４２】
ガイドパス４００、４０２、４０４による平板状情報担体ＰＣ３、ＰＣ２、ＰＣ１の安定支持、ガイド、正常読み取り位置での位置設定によって、良好な操作性が確保されている。
【００４３】
対物センサ２００、２０２、２０４は、ガイドパス４００、４０２、４０４に挿入された状態の平板状情報担体ＰＣ３、ＰＣ２、ＰＣ１に対する所定位置、例えば位置ＰＰの近傍に、平板状情報担体ＰＣ１、ＰＣ２、ＰＣ３を検出すべく、設けられている。
【００４４】
対物センサ２００は、Ｌ字状溝４００Ａの上下に配置された対物センサ２００Ａ、２００Ｂ、Ｌ字状溝４００Ｂの上下に配置された対物センサ２００Ｃ、２００Ｄよりなり、平板状情報担体ＰＣ３の幅方向両端を、上下から検出し得る。
【００４５】
対物センサ２０２は、Ｌ字状溝４０２Ａの上下に配置された対物センサ２０２Ａ、２０２Ｂ、Ｌ字状溝４０２Ｂの上下に配置された対物センサ２０２Ｃ、２０２Ｄよりなり、平板状情報担体ＰＣ２の幅方向両端を、上下から検出し得る。
【００４６】
対物センサ２０４は、ガイドパス４０４の幅方向両端の上下に配置された対物センサ２０４Ａ、２０４Ｂ、２０４Ｃ、２０４Ｄよりなり、平板状情報担体ＰＣ１の幅方向両端を、上下から検出し得る。
【００４７】
対物センサ２００、２０２、２０４が、平板状情報担体ＰＣ１、ＰＣ２、ＰＣ３の両端をそれぞれ検出することによって、平板状情報担体ＰＣ１、ＰＣ２、ＰＣ３の正常読み取りの確認および、平板状情報担体ＰＣ１、ＰＣ２、ＰＣ３の判別が可能である。この判別処理は、ＣＰＵ１０１およびシステムメモリ１０２が協働して制御装置として機能することにより実行される。これによって、制御装置はユーザの操作入力により挿入された平板状情報担体がＰＣ１、ＰＣ２、ＰＣ３のいずれの幅を持つものかを確認し得る。ここに制御装置は、ＣＰＵ１０１、システムメモリ１０２が協働して
【００４８】
対物センサ２００、２０２、２０４は、赤外線の反射率の変化を検出するタイプ等、平板状情報担体を検出し得る種々のタイプを採用し得る。
【００４９】
ゲーム装置１００は、対物センサ２００、２０２、２０４による平板状情報担体ＰＣ１、ＰＣ２、ＰＣ３の検出・判別結果を振動発生装置１１５に出力してもよい。ゲーム装置１００は、平板状情報担体ＰＣ１、ＰＣ２、ＰＣ３に対応した振動モードで、振動発生装置１１５を振動させ、挿入状態の平板状情報担体ＰＣ１、ＰＣ２、ＰＣ３に振動を伝達する。このとき、平板状情報担体ＰＣ１、ＰＣ２、ＰＣ３を手差ししたユーザは、平板状情報担体ＰＣ１、ＰＣ２、ＰＣ３に触れており、振動を感じることができるので、正常読み取りを確認し得る。遊戯施設等、情報伝達に対するノイズが多い環境において、振動による読み取り確認は、確実な情報伝達を可能にする。
【００５０】
各対物センサ２００、２０２、２０４は、平板状情報担体ＰＣ１、ＰＣ２、ＰＣ３の幅方向両端を検出し得るので、ガイドパス４００、４０２、４０４に対応する平板状情報担体ＰＣ１、ＰＣ２、ＰＣ３が正しく挿入されたことを確認し得る。
【００５１】
なお、対物センサ２００、２０２、２０４を平板状情報担体ＰＣ１、ＰＣ２、ＰＣ３の上または下の一方に設けることによっても、平板状情報担体ＰＣ１、ＰＣ２、ＰＣ３の判別は可能である。
【００５２】
さらに、平板状情報担体ＰＣ１、ＰＣ２、ＰＣ３に、ホログラム等、所定指標を設けておき、対物センサ２００、２０２、２０４によって該指標を検出するようにしてもよい。この場合、上記対物センサは光学式の反射型対物センサを用いることで、例えば平板状情報担体ＰＣ１、ＰＣ２、ＰＣ３の表面及び裏面にそれぞれ異なる反射率を持つ色を印刷したり、またいわゆるキラカードと呼ばれるホロ印刷など光学式センサにて判別可能な特殊な印刷や素材を用いた仕様のものとしたり、また磁気に反応する磁気反応型の対物センサを対物センサ２００、２０２、２０４に用いることによって、平板状情報担体ＰＣ１、ＰＣ２、ＰＣ３の挿入状態の表裏や、特殊印刷、特殊素材、磁気情報を持った特殊な平板状情報担体ＰＣ１、ＰＣ２、ＰＣ３を検出・判別できる。
【００５３】
［カード等判別結果出力］
対物センサ２００、２０２、２０４によって平板状情報担体を判別した結果を、振動発生装置１１５に出力する処理の例を図９のフローチャートに示す。
【００５４】
図９において、平板状情報担体判別結果出力処理は、ＣＰＵ１０１およびシステムメモリ１０２において、以下の各ステップによって実行される。
【００５５】
ステップＳ９０１：まず、対物センサ２００、２０２、２０４のいずれかによってカード等平板状情報担体を検出したか否かを判断する。平板状情報担体を検出したときは、ステップＳ９０２に進み、検出しなかったときはそのまま処理を終了する。
【００５６】
ステップＳ９０２：平板状情報担体を検出した対物センサが、幅方向両端の対物センサのいずれもが検出を行ったか否かを判断する。両端の対物センサが検出したときはステップＳ９０３に進み、いずれか一方のみが検出を行ったときはステップＳ９０５に進む。
【００５７】
ステップＳ９０３：平板状情報担体が正常に挿入されたと判断し、ステップＳ９０４に進む。
【００５８】
ステップＳ９０４：平板状情報担体ＰＣ１、ＰＣ２、ＰＣ３に対応した振動モードで振動発生装置１１５による振動発生を実行する。なお、各振動モードは、システムメモリ１０２にあらかじめロードされている。
【００５９】
ステップＳ９０５：ガイドパス４００、４０２、４０４に正しい平板状情報担体が挿入されていないことを示すエラー処理等を実行し、そのまま処理を終了する。
【実施例２】
【００６０】
次に本発明に係る情報読み取り装置の実施例２を図面に基づいて説明する。実施例１は平板状情報担体を水平に挿入するものであったが、実施例２では、平板状情報担体を略垂直状態で挿入する。
【００６１】
図１０は、本発明に係る情報読み取り装置の実施例２を示す斜視図、図１１は、図１０のＸＩ−ＸＩ矢視線に沿う断面図である。図中、実施例１と同一もしくは相当部分には同一符号を付し、説明を省略する。
【００６２】
図１０、図１１において、情報読み取り装置６００は、幅Ｗ１、Ｗ２、Ｗ３に対応した高さのガイドパス４０４、４０２、４００を有し、平板状情報担体ＰＣ１、ＰＣ２、ＰＣ３を略垂直状態で挿入し得る。
【００６３】
ガイドパス４０４は、図１０の右方向に開放された、幅Ｗ１の溝７００と、その開放端部上端から下方に突出するスペーサ８０２Ａと、その開放端部下端から上方に突出するスペーサ８０２Ｂとによって構成される。溝７００の底面、すなわちガイドパス４０４の底面４０４ＢＦは略水平である。
【００６４】
ガイドパス４０２は、溝７００の右上端から上方に形成され、図１０右方向に開放された溝７０２と、底面４０４ＢＦに連続した底面４０２ＢＦと、溝７００の開放端部上端から下方に突出するスペーサ８００Ａと、その開放端部下端から上方に突出するスペーサ８００Ｂと、スペーサ８０２Ａ、８０２Ｂとによって構成される。
【００６５】
ガイドパス４００は、溝７０２の右上端から上方に形成された溝７０４と、底面４０２ＢＦに連続した底面４００ＢＦと、スペーサ８００Ａ、８００Ｂとによって構成される。
【００６６】
実施例１と同様に、情報読み取り装置１１６の内部には、ガイドパス４００、４０２、４０４によってガイドされつつ挿入された平板状情報担体ＰＣ１、ＰＣ２、ＰＣ３の先端が突き当たり、停止される停止壁（停止手段）３０４が設けられている。停止壁３０４は平板状情報担体ＰＣ１、ＰＣ２、ＰＣ３を所定位置ＰＰで停止させる。
【００６７】
実施例１と同様に、情報読み取り装置１１６には、受発光部（読み取り部）３００、振動発生装置１１５、対物センサ２００〜２０４が設けられる。
【００６８】
ガイドパス４００の、スペーサ８００Ａ、８００Ｂに対向する側面４００ＳＦには、平板状情報担体ＰＣ１をスペーサ８００Ａ、８００Ｂ方向に弾性的に付勢する板バネ８３０が設けられ、平板状情報担体ＰＣ３をスペーサ８００Ａ、８００Ｂとの間で挟持して、安定に保持する。これによって、読み取り部３００による確実な読み取りが保証される。
【００６９】
ガイドパス４０４の、スペーサ８０２Ａ、８０２Ｂに対向する側面４０４ＳＦには、平板状情報担体ＰＣ３をスペーサ８０２Ａ、８０２Ｂ方向に弾性的に付勢する板バネ８４０が設けられ、平板状情報担体ＰＣ３をスペーサ８０２Ａ、８０２Ｂとの間で挟持して、安定に保持する。これによって、読み取り部３００による確実な読み取りが保証される。
【００７０】
ガイドパス４０２においては、平板状情報担体ＰＣ３はスペーサ８０２Ａ、８０２Ｂ、８００Ａ、８００Ｂによって弾性的に挟持され、安定保持され、読み取り部３００による確実な読み取りが保証される。
【００７１】
スペーサ８００Ａ、８００Ｂの情報読み取り装置１１６内先端部には、断面円形の先端滑接部８１０が上下方向に設けられ、スペーサ８０２Ａ、８０２Ｂの情報読み取り装置１１６内先端部には、断面円形の先端滑接部８２０が上下方向に設けられ、スペーサ８００Ａ、８００Ｂ、８０２Ａ、８０２Ｂは、平板状情報担体ＰＣ１、ＰＣ２、ＰＣ３に滑らかに接する。これによって、平板状情報担体ＰＣ１、ＰＣ２、ＰＣ３の円滑な挿入、抜き取りが可能であり、平板状情報担体ＰＣ１、ＰＣ２、ＰＣ３の損傷も防止される。
【産業上の利用可能性】
【００７２】
なお以上の実施例では、バーコードを光学的に読み取る情報読み取り装置のみについて説明したが、磁気記録カード、ＩＣカード等、種々の情報担体の読み取りのための情報読み取り装置に本発明を適用でき、情報書き換え機能を備えたカードリーダ／ライタに本発明を適用し得ることはいうまでもない。また本発明は、ゲーム装置以外の、情報読み取りおよび／または情報書き換えを要する種々の機器に適用し得る。
【図面の簡単な説明】
【００７３】
【図１】本発明に係る情報読み取り装置の実施例１を適用したゲーム装置を示す正面図である。
【図２】図１のゲーム装置を示すブロック図である。
【図３】図１の情報読み取り装置を示す斜視図である。
【図４】図３の情報読み取り装置の平面図である。
【図５】図３の情報読み取り装置の右側面図である。
【図６】図３の情報読み取り装置によって平板状情報担体を読み取る状態を示す縦断面図である。
【図７】図３の情報読み取り装置によって他の平板状情報担体を読み取る状態を示す縦断面図である。
【図８】図３の情報読み取り装置によってさらに他の平板状情報担体を読み取る状態を示す縦断面図である。
【図９】図３の情報読み取り装置による、平板状情報担体判別結果出力処理を示すフローチャートである。
【図１０】本発明に係る情報読み取り装置の実施例２を示す斜視図である。
【図１１】図１０のＸＩ−ＸＩ矢視線に沿う断面図である。
【符号の説明】
【００７４】
Ａ１、Ａ２、Ａ３  角度
ＰＰ  所定位置
ＯＡ  光軸
１００  ゲーム装置
１１５  振動発生装置（振動発生手段）
１１６、６００  カードリーダ（情報読み取り装置／読み取り手段）
２００（２００Ａ、２００Ｂ、２００Ｃ、２００Ｄ）  対物センサ
２０２（２０２Ａ、２０２Ｂ、２０２Ｃ、２０２Ｄ）  対物センサ
２０４（２０４Ａ、２０４Ｂ、２０４Ｃ、２０４Ｄ）  対物センサ
２０６（２０６Ａ、２０６Ｂ、２０６Ｃ、２０６Ｄ）  対物センサ
３００  受発光部（読み取り部）
３０２  読み取り窓
３０４  停止壁（停止手段）
４００（４００Ａ、４００Ｂ）  ガイドパス（ガイド手段）
４０２（４０２Ａ、４０２Ｂ）  ガイドパス（ガイド手段）
４０４（４０４Ａ、４０４Ｂ）  ガイドパス（ガイド手段）
４１０、４２０、４３０  挿入口
５００、５０２、５０４、５０６  ビス受け溝
７００、７０２  ガイド溝
８００Ａ、８００Ｂ、８０２Ａ、８０２Ｂ  スペーサ
８１０、８２０  先端滑接部
８３０、８４０  板バネ
【図１】
2010072795.tif 000003
【図２】
2010072795.tif 000004
【図３】
2010072795.tif 000005
【図４】
2010072795.tif 000006
【図５】
2010072795.tif 000007
【図６】
2010072795.tif 000008
【図７】
2010072795.tif 000009
【図８】
2010072795.tif 000010
【図９】
2010072795.tif 000011
【図１０】
2010072795.tif 000012
【図１１】
2010072795.tif 000013